(57)【特許請求の範囲】
【請求項１】
複数のシートを針を用いずに綴じる綴じ処理を行う綴じ手段を制御する印刷制御装置であって、
シートに画像を印刷する印刷手段と、
前記印刷手段により画像が印刷された複数のシートを綴じる第１の綴じ処理を、シートにおける第１の位置において前記綴じ手段にさせた後、当該第１の綴じ処理によって綴じられた前記複数のシートと、前記複数のシートとは異なるシートとを綴じる第２の綴じ処理を、前記シートにおける第１の位置とは異なる第２の位置において前記綴じ手段にさせる制御手段と、
を備えることを特徴とする印刷制御装置。
【請求項２】
前記制御手段は、前記複数のシートとは異なるシートを前記複数のシートの上面に重ね合うように綴じ処理を行わせることを特徴とする請求項１に記載の印刷制御装置。
【請求項３】
前記複数のシートとは異なるシートは、表紙シートであることを特徴とする請求項１に記載の印刷制御装置。
【請求項４】
シートに画像を印刷する印刷手段を制御する印刷制御装置の制御方法であって、
前記印刷手段により画像が印刷された複数のシートを針を用いずに綴じる第１の綴じ処理をシートにおける第１の位置において綴じ手段で行う第１の綴じ工程と、
前記第１の綴じ工程で前記第１の綴じ処理を行った後、当該第１の綴じ処理によって綴じられた前記複数のシートと、前記複数のシートとは異なるシートとを綴じる第２の綴じ処理を前記シートにおける第１の位置とは異なる第２の位置において前記綴じ手段で行う第２の綴じ工程と、
を備えることを特徴とする印刷制御装置の制御方法。
【請求項５】
請求項４記載の印刷制御装置の制御方法をコンピュータに実行させることを特徴とするプログラム。
【発明の詳細な説明】
【技術分野】
【０００１】
本発明は、シートを綴じる綴じ処理を制御する印刷制御装置、綴じ制御装置、印刷制御装置の制御方法、及びプログラムに関するものである。
【背景技術】
【０００２】
コピーやプリンタ機能をもつ画像処理装置には、出力する印刷シートを後処理するシート処理装置が付属しているものがある。このシート処理装置の持つ代表的な機能としてステイプル綴じ機能がある。ステイプル綴じ機能は金属の針金を使用してシートを綴じる機能である。
ステイプル綴じされた印刷物は部ごとに取り扱いやすいため、複数ページの出力物を扱う際に広く使用されている。
しかし、最近では金属針を使用している面から環境への配慮が行われ、針を使用しない綴じ方法が考案されている。例えば綴じる一組の印刷シートの一部をまとめてくりぬくように切り取り、その切り先を織り込んで綴じる方法が考案されている（特許文献１参照）。
【先行技術文献】
【特許文献】
【０００３】
【特許文献１】特開平8-300847号公報
【発明の概要】
【発明が解決しようとする課題】
【０００４】
前述したように、金属針を使用しないで綴じる方法は様々と実用化されているが、金属針を使用したステイプル綴じ方式と比較して異なる特徴がある。
例えば、金属針を使用した綴じ方では針を外さないと綴じたものをばらすことができない。しかし、シートの厚さ方向の上下から圧力をかける加圧力でシートを密着し綴じる方法では、圧力だけで綴じているので綴じたものを簡単にはがしばらすことが可能となる。
しかしながら、従来の画像処理装置では針使用のステイプルを用いたシート処理装置しかなく、針不使用の綴じ処理の特徴を生かして綴じたものをばらしてはがせるようにする提案はされていない。
そのため、ユーザが職場などで資料を回覧する際、回覧物を印刷しステイプル処理し、回覧表は別途印刷し、別途印刷物にユーザがクリップ等で付ける作業が必要という課題があった。また、ユーザが回覧後表紙等を捨てる際、針やクリップの処理が必要という課題もあった。
【０００５】
本発明は、上記の課題を解決するためになされたもので、本発明の目的は、複数のシートとは異なるシートを針を使用しないで綴じる綴じ処理を行うことで、綴じ処理後、シート束から複数のシートとは異なるシートを剥がすことが容易な印刷物を提供することである。
【課題を解決するための手段】
【０００６】
上記目的を達成する本発明の印刷制御装置は以下に示す構成を備える。
複数のシートを針を用いずに綴じる綴じ処理を行う綴じ手段を制御する印刷制御装置であって、シートに画像を印刷する印刷手段と、前記印刷手段により画像が印刷された複数のシートを綴じる第１の綴じ処理を、シートにおける第１の位置において前記綴じ手段にさせた後、当該第１の綴じ処理によって綴じられた前記複数のシートと、前記複数のシートとは異なるシートとを綴じる第２の綴じ処理を、前記シートにおける第１の位置とは異なる第２の位置において前記綴じ手段にさせる制御手段と、を備えることを特徴とする。
【発明の効果】
【０００７】
本発明によれば、複数のシートとは異なるシートを針を使用しないで綴じる綴じ処理を行うことで、綴じ処理後、シート束から複数のシートとは異なるシートを剥がすことが容易な印刷物を提供できる。
【図面の簡単な説明】
【０００８】
【図１】印刷制御装置を適用する画像処理装置の構成を説明するブロック図である。
【図２】シート処理部の構成例を示す断面図である。
【図３】各綴じ部との配置および綴じ作業域を示す図である。
【図４】図２に示した第２の綴じ部の綴じ処理を説明する断面図である。
【図５】図２に示した第２の綴じ部の綴じ処理動作を説明する断面図である。
【図６】図２に示した第２の綴じ部の綴じ処理動作を説明する断面図である。
【図７】図２に示した第２の綴じ部の綴じ処理動作を説明する平面図である。
【図８】図２に示した第２の綴じ部の綴じ処理動作を説明する平面図である。
【図９】印刷制御装置の制御方法を説明するフローチャートである。
【図１０】図２に示した操作部に表示可能なＵＩ画面の一例を示す図である。
【図１１】図２に示した操作部に表示可能なＵＩ画面の一例を示す図である。
【図１２】図２に示した操作部に表示可能なＵＩ画面の一例を示す図である。
【図１３】図２に示した操作部に表示可能なＵＩ画面の一例を示す図である。
【図１４】図２に示した操作部に表示可能なＵＩ画面の一例を示す図である。
【図１５】図２に示した操作部に表示可能なＵＩ画面の一例を示す図である。
【図１６】図２に示した操作部に表示可能なＵＩ画面の一例を示す図である。
【図１７】印刷データのページ構成を説明する図である。５
【図１８】図２に示した第２の綴じ部の綴じ処理動作を説明する断面図である。
【図１９】図２に示した第２の綴じ部の綴じ処理動作を説明する断面図である。
【図２０】図２に示した第２の綴じ部の綴じ処理動作を説明する断面図である。
【図２１】図２に示した第２の綴じ部の綴じ処理動作を説明する断面図である。
【図２２】図２に示した第２の綴じ部の綴じ処理動作を説明する断面図である。
【図２３】印刷制御装置の制御方法を説明するフローチャートである。
【図２４】図２に示した操作部に表示可能なＵＩ画面の一例を示す図である。
【図２５】図２に示した第２の綴じ部の綴じ処理動作を説明する断面図である。
【図２６】図２に示した第２の綴じ部の綴じ処理動作を説明する断面図である。
【図２７】図２に示した第１及び第２の綴じ部の綴じ処理動作を示す断面図である。
【図２８】図２に示した第１及び第２の綴じ部の綴じ処理動作を示す断面図である。
【発明を実施するための形態】
【０００９】
次に本発明を実施するための最良の形態について図面を参照して説明する。
＜システム構成の説明＞
〔第１実施形態〕
【００１０】
図１は、本実施形態を示す印刷制御装置を適用する画像処理装置の構成を説明するブロック図である。本例は、画像を読み取る読み取り機能と、画像をシートに印刷する印刷機能とを備える画像処理装置に、シート後処理を行うシート処理装置を接続可能に構成されている場合を示す。また、画像処理装置とシート処理装置は、シートに綴じ処理を行う綴じ制御装置としても機能する。
【００１１】
図１において、ＣＰＵ１０１は、システムの制御部であり、装置全体を制御する。ＲＯＭ１０２は、ＣＰＵ１０１の制御プログラムを格納する。ＳＲＡＭ１０３は、オペレータが登録した設定値や装置の管理データ等や各種ワーク用バッファ等を格納する。ＳＲＡＭ１０３は、電池によりバックアップされており、装置の電源を切っても記憶内容が消えない不揮発性のＳＲＡＭである。また、ＳＲＡＭ１０３は、読み取られた画像データもここに格納する。
【００１２】
ＤＲＡＭ１０４は、プログラム制御変数等を格納するためのものである。操作部１０５は機器内の情報を表示するユーザとのインタフェース部で、後述するユーザインタフェース画面を表示可能に構成されている。読み取り部１０６は画像データを読み取り、バイナリデータに変換する装置でありこれを用いて画像送信機能の原稿読み取りを行なう。記録部１０７は画像データをシートに印刷する。画像処理部１０８は、画像送信機能で扱う画像データの符号化復号化処理を行う。それぞれの制御部はデータバス１１０を介して繋がっており、画像データはデータバス１１０を通じて転送される。
また、記録部１０７はシート処理部１０９に接続されており、記録部１０７で印刷されたシートはシート処理部に送られる。シート処理部１０９は入力されたシートを揃えたり、出力トレイを切り替えたり、複数のシートを綴じる綴じ処理を行ったりする、後処理を行う箇所である。なお、本実施形態では、シート束を針を使用して綴じるものを第１の綴じ処理とし、シート束を針を使用しないで綴じるものを第２の綴じ処理として区別して説明する。
このように構成された画像処理装置において、読み取り部１０６から原稿画像を読み取ってバイナリデータに変換し、読み取った画像データをＳＲＡＭ１０３に一端格納する。画像処理部１０８で前記格納された画像データを変換してから記録部１０７でシートに印刷し、シート処理部１０９で後処理（綴じ処理）を行う印刷制御を例として動作を説明する。
【００１３】
図２は、図１に示したシート処理部１０９に関してさらに詳細を示したシート処理部の構成例を示す断面図である。本例は、画像処理装置のシート処理装置の筐体内部に設置されている例である。
なお、印刷処理を実行するエンジン部を備える記録部１０７については省略するが、シート処理部は画像処理装置本体部に接続されて使用される態様である。また、接続態様は、インライン方式とそれ以外の方式とがあるが本発明の適用に制限はない。
【００１４】
図２において、２０１はシート処理装置で、シート処理装置２０１は記録部１０７と接続されて使用される。記録部１０７からは搬送ローラ２０４を通してシートが送られてくる。２０５は両面印刷時にシートを反転させるための搬送ローラであり、反転時にはここを通って記録部１０７に再度入って裏面の印刷を行う。その場合も搬送ローラ２０４を通ってシート処理装置２０１に出力シートが送られる。
シート処理装置２０１では出力シートを揃えたり、移動したりする機能があるが、ここでは綴じ機能について注目する。
【００１５】
２０２はステイプラであり、ステイプル針のような金属針を使用してシートを綴じる機能を持つ第１の綴じ部である。２０３は、針を使用しないでシートを綴じる綴じ機能を提供する第２の綴じ部である。針を使用しない綴じの方法としては前記のとおり多数あるが、ここではシートの厚さ方向の上下から圧力をかける加圧力でシートを密着し綴じる方式の物を搭載している例とする。
【００１６】
このようにシート処理装置２０１に第１の綴じ部２０２と第２の綴じ部２０３が併設されているようなシート処理装置を例として挙げる。ただし、針を使用しない第２の綴じ部のみの構成であっても構わない。以下、第１の綴じ部２０２と第２の綴じ部２０３とが併設されている場合、単独の場合について以下に説明する。
【００１７】
図３は、図２に示した第１の綴じ部と第２の綴じ部との配置および綴じ作業域を示す図である。
図３において、３０１は綴じる際のシートを示し、第１の綴じ部２０２がスタンバイ位置に停止している状態を示す。実際にシートを綴じる際、第１の綴じ部２０２は、スタンバイ位置から矢印で示す綴じ位置３０２に移動してシートを綴じる構成となっている。なお、綴じ部を移動する機構は省略するが、その移動等はＣＰＵ１０１の指示にしたがって制御される。
【００１８】
同様に、針を使用しない第２の綴じ部２０３も通常は、スタンバイ位置に停止して、実際にシートを綴じる際、スタンバイ位置から綴じ位置３０３に移動してシートを綴じる構成となっている。すなわち、いろいろな綴じ方に応じて図１に示したＣＰＵ１０１の制御によって第１の綴じ部２０２と第２の綴じ部２０３とは可動可能となっている。
【００１９】
図４は、図２に示した第２の綴じ部の綴じ処理を説明する断面図である。ここではシートの厚さ方向の上下から圧力をかける加圧力でシートを密着し綴じる方法で説明する。具体的には、出力シートが綴じる位置にセットされ、図３で示したように綴じ位置３０３に第２の綴じ部２０３が移動した状態が図３の（ａ）に対応する。
図４において、４０１は上金型で、シートを圧力で押さえ付ける。上金型４０１には複数の凸形状の刃が付いており複数個所加圧することですぐにははがれないようにしている。４０５は下金型で、シートを圧力で押さえ付ける。下金型４０５にも上金型４０１の複数の凸部４０２に対応した凹部４０４があり上金型４０１の刃を受けるようになっている。上金型４０１と下金型４０５で出力シート束４０３を図４の（ｂ）に示すように上下方向からシートを加圧（図示しない加圧機構による）して押さえることで、シートを綴じることが可能となっている。綴じた後の出力シート束４０３の断面は、図５に示すようになる。綴じたシートを上から見ると、綴じ位置６０１は図６のようになる。
本実施形態では、図６の綴じ位置６０１の黒い部分が加圧されて、つぶれたシートの部分となる。なお、加圧して綴じるためこの方法では現状綴じる枚数が限られている。
また、１回の綴じでは綴じる力が弱いこともあり、２度綴じなどが行えるようになっている。
【００２０】
図７は、図２に示した第２の綴じ部２０３の綴じ位置を説明する図である。
図７において、第２の綴じ部２０３は図７の（ａ）に示す位置から図７の（ｂ）に示す矢印方向に綴じ位置の移動が可能となっている。また、第２の綴じ部２０３は、移動量を調整することで綴じる位置、回数が変更可能なようになっている。
【００２１】
図８は、図２に示した第２の綴じ部２０３の綴じ回数とその綴じ位置とを説明する図である。本例は、２度綴じた出力シート３０１を上から見た例である。
図８において、８０１は、図７の（ａ）で示す第１の綴じ位置（第１の綴じ位置）７０１で第２の綴じ部２０３が綴じ処理した綴じ部である。８０２は、図７の（ｂ）に第２の綴じ部２０３が移動して綴じ処理した綴じ部である。なお、図８で示した加圧した部分の黒の個数が多くなると圧着量が増え綴じる力が増すようになっている。また、加圧された綴じた部分を爪などでこすればシートを破らずきれいにはがせることが針を使用しない綴じの特徴である。
【００２２】
図９は、本実施形態を示す印刷制御装置の制御方法を説明するフローチャートである。本例は、第２の綴じ処理を実行した後、表紙を当該表紙に続くシートから剥がせるモード処理例である。なお、各ステップは、図１のＣＰＵ１０１が、ＲＯＭ１０２に格納されている後述の図９のフローチャートを実行するためのプログラムを実行することで実現される。以下、図１０〜図１６示すユーザインタフェース画面（ＵＩ画面）を参照して、本実施形態に示す印刷制御を説明する。なお、図１０〜図１７に示すＵＩ画面は、図１に示した操作部１０５が備える表示部にＣＰＵ１０１の制御で表示される。また、表示部は、タッチパネルで構成され、表示されるボタンをユーザが操作することで、ＣＰＵ１０１が指示されたボタンを判別して各種印刷モードに対する設定処理を行う。
以下、第２の綴じ手段による綴じ処理が指定されている場合、シート束を第１の綴じ手段により綴じ処理させた後、綴じ処理したシート束と、シートとを前記第２の綴じ手段により綴じ処理させるように第１及び第２の綴じ手段による綴じ処理を制御する例を示す。
まず、図１０に示すＵＩ画面（コピー操作画面）において、ユーザがコピー開始ボタン１００４を押すことで、ＣＰＵ１０１がフローチャートの処理をスタートさせ、Ｓ９０１に進む。
【００２３】
Ｓ９０１において、ＣＰＵ１０１が、操作部１０５の表示部に表示する、例えば図１４に示すＵＩ画面で表示される表紙はがせるモードの設定が、現在ＯＮ状態であるかＯＦＦ状態であるかの判断を行う。
ここで、表紙はがせるモードの設定画面１４を表示するための表示制御について説明する。
表紙はがせるモードにおいて、ＣＰＵ１０１が、図１０に示すＵＩ画面において、ユーザが応用ボタン１００３を押しているかどうかを判断する。ここで、両面ボタン１００１，仕上げボタン１００２，応用ボタン１００３のうち、応用ボタン１００３を押下しているとＣＰＵ１０１が判断した場合、ＣＰＵ１０１は、図１３に示すＵＩ画面（応用モード設定画面）に切り替え、表紙はがせるモードを選択可能なように制御する。
【００２４】
さらに、ＣＰＵ１０１は、図１３に示すＵＩ画面において、ユーザがシートはがせるモードボタン１３０１を押下しているかどうかを判断する。ここで、シートはがせるモードボタン１３０１を押下しているとＣＰＵ１０１が判断した場合は、ＣＰＵ１０１は、操作部１０５の表示部に表示すべきＵＩ画面を表紙はがせるモード設定画面（図１４）に切り替える制御を行う。図１４に示すＵＩ画面では、表紙はがせるモード状態をオン状態１４０１とオフ状態１４０２を表示可能であって、現在表紙はがせるモード状態としてオン状態１４０１が選択された状態を示している。
Ｓ９０１において、ＣＰＵ１０１が、表紙はがせるモードの設定がオン状態１４０１であると判断した場合は、ＣＰＵ１０１は、Ｓ９０２に制御を進め、表紙はがせるモードの設定がオフ状態１４０２であると判断した場合は、ＣＰＵ１０１は、Ｓ９１６に制御を進める。
【００２５】
Ｓ９１６では、ＣＰＵ１０１が、シートに印刷するよう記録部１０７を制御し、印刷されたシートをシート処理部１０９に送るよう制御し、Ｓ９１７に進む。そして、Ｓ９１７では、ＣＰＵ１０１が、図１０に示すＵＩ画面において、設定されるシートを綴じるようシート処理部１０９の仕上げ動作の制御を行う。
仕上げ処理を設定するための仕上げボタン１００２を押下すると、ＣＰＵ１０１がＵＩ画面の表示を図１２に示すＵＩ画面の表示に切り替える。
図１２に示すＵＩ画面では、ユーザが「針有りの綴じ処理」１２０１と「針無しの綴じ処理」１２０２と「綴じ処理をしない」１２０３の選択が可能に構成されている。また、仕上げモードとしてソート１２０３かグループ１２０５の選択が設定可能となっている。
【００２６】
図１２に示すＵＩ画面では、現在、針無しの綴じ処理１２０２とソート１２０４が選択されている例を示している。この例の場合、Ｓ９１７で、ＣＰＵ１０１が、ソートモードで針無しの綴じ処理でシートを綴じるようシート処理部１０９を制御する。ＣＰＵ１０１が、シート処理部１０９の制御を終了し、印刷終了となり図９のフローチャートの処理を終了する。
一方、Ｓ９０２では、ＣＰＵ１０１が、図１１に示すＵＩ画面において、両面設定を行うためのＯＮ状態１１０１と、両面設定を行わないＯＦＦ状態１１０２のいずれが選択されているかどうかを判断する。
ここで、ＣＰＵ１０１が、図１０に示すＵＩ画面において、ユーザが両面ボタン１００１を押下したことを判断し、図１１に示すＵＩ画面に切り替え、両面設定が可能なように制御する。図１１では両面設定としてＯＮ状態であることを示している。この例のＳ９０２では、ＣＰＵ１０１が、両面設定がＯＮ状態１１０１であると判断すると処理をＳ９０３に進め、両面設定がＯＦＦ状態１１０２、すなわち片面と判断すると処理をＳ９１３に進める。以下、両面時のＳ９０３の処理から説明する。
【００２７】
まず、Ｓ９０３では、ＣＰＵ１０１が、図１５に示すＵＩ画面において、表紙シート印刷モード（両面）設定で何が選択されているか判断する。
ここで、ＣＰＵ１０１が、図１５に示すＵＩ画面で、白シート追加（両面Ａモード）１５０１を選択していると判断した際は、処理をＳ９０４に進めるように制御する。
Ｓ９０４では、まず、ＣＰＵ１０１が、図１７に示すような印刷データ１７０１の場合、表紙に白シートを追加するモードと判断する。次に、ＣＰＵ１０１が、ページの構成を１枚目（表紙）の出力が白シートになるように図１７の（ａ）に示すように印刷データのページ構成に変更するよう制御する。
一方、Ｓ９０３で、ＣＰＵ１０１が、図１５に示すＵＩ画面において、１ページ目のみ（両面Ｂモード）１５０２が選択されていると判断したときは、処理をＳ９０５に進める。
【００２８】
そして、Ｓ９０５では、ＣＰＵ１０１が、表紙に印刷データの１ページ目だけを印刷するように図１７の（ｂ）に示すように印刷データのページ構成を変更するよう制御する。このモードは１ページ目に回覧表などのページを用意し、表紙に回覧表を印刷し、使い終わったら表紙すなわち回覧表をはがして捨てる場合に使用される。ＣＰＵ１０１が、図１５で１ページ、２ページとも（両面Ｃモード）１５０３が選択されていると判断したときは、処理をＳ９０６に進める。
一方、Ｓ９０６では、ＣＰＵ１０１が、表紙に印刷データの１ページ目と２ページ目を印刷するように図１７の（ｃ）のように印刷データのページ構成を変更するよう制御する。以上のようにＣＰＵ１０１が、印刷データに対するページ構成変更の制御を終えると、処理をＳ９０７に進める。
【００２９】
次に、Ｓ９０７では、ＣＰＵ１０１が、表紙を最後に印刷するために最終ページから印刷するように記録部１０７の設定を行う。ＣＰＵ１０１が、設定を終えると、処理をＳ９０８に進める。
次に、Ｓ９０８では、ＣＰＵ１０１が、表紙の表が一番上に来るように印刷をフェイスアップ印刷するように記録部１０７を制御する。ＣＰＵ１０１が、印刷制御を開始し、処理はＳ９０９に進める。
次に、Ｓ９０９では、ＣＰＵ１０１が、表紙以外の印刷が終了したかを判断し、終わってないとＣＰＵ１０１が判断した場合は、処理をＳ９０８に戻し、次のページの印刷を行うよう記録部を制御する。
【００３０】
一方、Ｓ９０９で、ＣＰＵ１０１が、表紙以外の印刷が終了したと判断した場合は処理をＳ９１０に進める。
そして、Ｓ９１０では、ＣＰＵ１０１が、図１２に示すＵＩ画面で設定されている仕上げの設定に従いシート処理部１０９に綴じ処理を行わせように制御する。例えば、図１２の例では、針無しの綴じ処理１２０２が選択されているので、ＣＰＵ１０１が図７の（ａ）に示す綴じ位置７０１で綴じ処理を行うようシート処理部１０９を制御する。結果、シートは図１８の（ａ）のような綴じられた状態となる。ＣＰＵ１０１が、仕上げの制御を終えると、処理をＳ９１１に進める。
【００３１】
Ｓ９１１では、ＣＰＵ１０１が、ページ構成変更で表紙に割りつけられたページの印刷を行うように記録部１０７を制御する。ＣＰＵ１０１が、表紙の印刷制御を終えると、処理をＳ９１２に進める。
そして、Ｓ９１２では、ＣＰＵ１０１が、表紙をはがせるようにシート処理部１０９の仕上げの設定を針無し綴じ処理が行われるように設定し、綴じ処理を行ってシートを綴じるよう制御する。また、この際、ＣＰＵ１０１が、表紙をはがしやすいように図７の（ｂ）のように、第２の綴じ部を図７の（ａ）の通常位置よりシートの外側に移動して、綴じ処理をするようシート処理部１０９を制御する。
【００３２】
その結果、出力シートは、図１８の（ｂ）のような位置で綴じられた状態となる。位置をずらすように制御することで、図１９に示すように表紙でないシート束１９０２の綴じた部分１８０１に影響なく、シート束１９０２の上面に重ねられる表紙１９０１だけを簡単にはがすことが可能となる。ＣＰＵ１０１が、Ｓ９１２の処理を終了すると、印刷終了となり図９のフローチャートの処理を終了する。
次に、ＣＰＵ１０１が、Ｓ９０２での両面設定が片面設定と判断した際に処理を進めるＳ９１３以降の処理について説明する。
Ｓ９１３では、ＣＰＵ１０１が、図１６に示すＵＩ画面（表紙シート印刷モード（片面）画面）において、ユーザにより何のモードが選択されているか判断を行う。ＣＰＵ１０１が、図１６に示すＵＩ画面において、ユーザにより、白シート追加（片面Ａモード）１６０１が選択されていると判断した場合は、処理をＳ９１４に進める。
【００３３】
そして、Ｓ９１４では、ＣＰＵ１０１が、印刷データのページ構成を表紙に白シートを追加するモードとしてページの構成を１枚目の出力が白シートになるようなページ構成に変更するよう制御する。そして、ＣＰＵ１０１が、図１６に示すＵＩ画面において、ユーザにより１ページ目（片面Ｂモード）１６０２が選択されていると判断した場合は、処理をＳ９１５に進める。
そして、Ｓ９１５では、ＣＰＵ１０１が、印刷データのページ構成を表紙に印刷データの１ページ目を印刷するようなページ構成に変更するよう制御する。このようにして、ＣＰＵ１０１が、ページ構成変更制御を終えると、処理をＳ９０７に進める。
なお、Ｓ９０７以降は、前記両面モード時で説明した内容と同じなので説明を省く。
【００３４】
上記実施形態では、図１２に示すＵＩ画面において、仕上げ設定が針無しの綴じ処理１２０２が選択されている場合について説明したが、針使用の綴じ処理が選択されている場合について説明する。
図９のＳ９１０では、ＣＰＵ１０１が、図２０の（ａ）に示す綴じ位置２００１で針使用の綴じ処理が行われるようシート処理部１０９の制御を行う。ＣＰＵ１０１が制御を行った結果、図２１の（ａ）のような綴じられた状態２１０１となる。
次に、Ｓ９１２では、ＣＰＵ１０１が、前記で説明したように表紙をはがせるように針無しの綴じ処理を行うようシート処理部１０９の制御を行う。すなわち、図２０の（ｂ）に示す綴じ位置２００２で針無しの綴じ処理が行われ、図２１の（ｂ）のような綴じられた状態１８０２となる。このように針無しの綴じ処理だけでも、針無しの綴じ処理と針使用の綴じ処理の併用でも、表紙を針無しで綴じることで表紙はがせるモードを行うことが可能となる。
【００３５】
さらに、表紙のはがしやすさをＣＰＵ１０１が、図１４に示すようなＵＩ画面において、標準１４０３とはがしやすい１４０４の選択を判断し、シート処理部１０９を制御することが可能である。
これは、ＣＰＵ１０１が、図２２の針無しで綴じられた状態１８０２に示すように標準設定では、圧着する図４に示した凸部すべての１０個で圧着するようシート処理部１０９を制御する。それに対し、ＣＰＵ１０１が、剥がし易さのレベル設定では、２２０１に示すように圧着する個数を１０個すべてではなく一部（ここでは５つ）で圧着するようシート処理部１０９を制御する。
このように圧着する部分を少なくするとシートを圧着する力が弱くなり簡単に表紙をはがすことが可能となる。これはＣＰＵ１０１が、図７に示す針無しの綴じ処理の位置調整を行うようシート処理部１０９を制御することで行うことが可能である。具体的には、第２の綴じ部２０３による綴じ処理が指定されている場合、ＣＰＵ１０１がシート束を綴じ処理させた後、綴じ処理した位置とは別の位置に再度綴じ処理させるように第２の綴じ部２０３による綴じ処理を制御する。
【００３６】
さらに、上記実施形態では、綴じ処理について、コピー時の動作において適用する例を説明したが、データ処理装置から受信する、Ｐａｇｅ  Ｄｅｓｃｒｉｐｔｉｏｎ  Ｌａｎｇｕａｇｅ（ＰＤＬ）などのプリント時も図９のフローにより同様な効果が得られることはいうまでもない。ここで、データ処理装置とは、画像処理装置と有線または無線のインタフェースを介して通信可能な機器が含まれる。また、データ処理装置には、クラウドコンピューティング環境のサーバ装置も含まれる。
以上、本実施形態によれば、表紙をはがせるモードにより回覧表などのような最終的に捨てるような表紙を付ける際、ユーザの作業なしに表紙を簡単に付けることが可能となる。さらに、最終的に表紙を捨てる際、表紙を簡単にはがすことが可能でさらに針などを捨てる手間もかからない効果がある。
【００３７】
また、表紙をはがせるモードと従来のモードをユーザが簡単に切り替え可能となる。表紙をはがせるモード時に表紙にするページをユーザに選択可能とすることでユーザの希望にあった表紙の設定にすることが可能となる。表紙をはがせるモード時にユーザにはがせ易さを選択可能とすることで、ユーザの希望に沿った表紙をはがして使うモードを提供可能となる。
〔第２実施形態〕
第１実施形態では、第２の綴じ処理後、表紙を自在にめくってそれ以降のページを見られなくするようなシート後処理を行う場合で説明した。第２実施形態では、第２の綴じ処理後、表紙以降のページを自在に見られないように綴じ処理を行う例で説明する。例えば袋とじとして中の本文が容易に見られないようにする例である。
【００３８】
図２３は、本実施形態を示す印刷制御装置の制御方法を説明するフローチャートである。本例は、第２の綴じ処理を実行した後、表紙を当該表紙に続くシートから剥がせるモード処理例である。なお、各ステップは、図１のＣＰＵ１０１が、ＲＯＭ１０２に格納されている後述の図２３のフローチャートを実行するためのプログラムを実行することで実現される。以下、綴じ処理が指定されている場合、ＣＰＵ１０１がシート束を第１の綴じ部２０２により綴じ処理させた後、綴じ処理したシート束と、シートとを第２の綴じ部２０３により綴じ処理させるように綴じ処理を制御する例を説明する。
【００３９】
まず、図１０に示すＵＩ画面において、ユーザがコピー開始ボタン１００４を押すことで、ＣＰＵ１０１がフローチャートの処理をスタートさせ、Ｓ２３０１に進む。
Ｓ２３０１では、ＣＰＵ１０１は、図２４に示すＵＩ画面において、ユーザが選択した応用設定の覗き見防止モードの設定状態がＯＮ状態であるのか、ＯＦＦ状態であるのかの判断を行う。ＣＰＵ１０１が、ＯＮ状態２４０１であると判断した場合、処理をＳ２３０２に進め、ＯＦＦ状態２４０２であると判断した場合、処理をＳ２３１７に進める。
【００４０】
まず、覗き見防止モードの設定がＯＦＦ状態２４０２である場合を説明する。
Ｓ２３１７では、ＣＰＵ１０１が、シートに印刷を行い、印刷されたシートをシート処理部１０９に送るように記録部１０７を制御し、処理をＳ２３１８に進める。そして、Ｓ２３１８では、ＣＰＵ１０１が、図１０に示した仕上げボタン１００２による仕上げ処理の設定に応じた仕上げ動作をシートに対して行いシートを綴じるようシート処理部１０９の制御を行う。仕上げボタン１００２による仕上げ処理は、図１２に示す針使用の綴じ処理１２０１か針無しの綴じ処理１２０２かの選択と、ソート１２０４かグループ１２０５かの選択が設定可能となっている。
【００４１】
なお、図１２では、針無しの綴じ処理１２０２とソート１２０３が選択されている例を示している。この設定の場合、Ｓ２３１８では、ＣＰＵ１０１が、ソートで針無しの綴じ処理を実行させるようシート処理部１０９を制御し、シートを綴じて印刷終了となり、本処理を終了する。
次に、覗き見防止モードの設定がＯＮの場合を説明する。
Ｓ２３０２では、ＣＰＵ１０１が、最終ページが印刷の裏面か否かの判断を行う。これは、最終ページが裏側に印刷されてしまうと出力物を裏返すだけで、最終ページを簡単に見ることができてしまうからである。
そこで、最終ページが裏側に印刷されるかを判断し、裏側に印刷されていると判断した場合、さらにシートを追加して、出力物を裏返すだけで最終ページを簡単に見ることができないように制御する。
【００４２】
具体的には、ＣＰＵ１０１が、最終ページが裏面と判断したときは処理をＳ２３０３に進め、裏面でないと判断したときは処理をＳ２３０４に進める。
そして、Ｓ２３０３では、ＣＰＵ１０１が、出力の表側、裏側が見られないように表紙と最終ページに白シートを追加して印刷物が見られないように印刷データのページ構成を変更する。
【００４３】
Ｓ２３０４では、ＣＰＵ１０１が、出力の裏側は印刷されないと判断しているので表紙のみ白シートを追加するように印刷データのページ構成を変更する。ＣＰＵ１０１が、印刷データのページ構成の変更が完了すると、処理をＳ２３０５に進める。
Ｓ２３０５では、ＣＰＵ１０１が、表紙をはがせるようにするため最後に針無しの綴じ処理ができるように最終ページから印刷開始するように記録部１０７の設定を行う。ＣＰＵ１０１が、印刷設定を終えると、処理をＳ２３０６に進める。
【００４４】
そして、Ｓ２３０６では、ＣＰＵ１０１が、図２４に示すＵＩ画面において、表紙モード設定が捨てられる２４０３か、捨てない２４０４のいずれが選択されているかを判断する。本実施形態では、図２４に示すＵＩ画面において、ユーザは、表紙をはがして捨てて使用する場合に捨てられる２４０３を選択し、表紙をつけたままで使用する場合に捨てない２４０４を選択できるようにしている。
ＣＰＵ１０１が、表紙モード設定が「捨てられる」設定であると判断したときは処理をＳ２３０７に進め、「捨てない」設定であると判断したときは処理をＳ２３１２に進める。
【００４５】
まず、表紙をはがして捨てて使用する場合のＳ２３０７からの説明を行う。
Ｓ２３０７では、ＣＰＵ１０１が、表紙の表が一番上に来るように印刷をフェイスアップ印刷に設定した印刷を行うよう記録部１０７を制御する。ＣＰＵ１０１が、印刷を開始するよう記録部１０７を制御すると処理をＳ２３０８に進める。
そして、Ｓ２３０８では、ＣＰＵ１０１が、表紙以外の印刷が終了したかを判断し、表紙以外の印刷が終わってないとＣＰＵ１０１が判断した場合はＳ２３０７に処理を戻し、次のページの印刷を行うよう記録部１０７を制御する。
一方、Ｓ２３０８で、ＣＰＵ１０１が、表紙以外の印刷が終了したと判断したときは、処理をＳ２３０９に進める。
【００４６】
そして、Ｓ２３０９では、ＣＰＵ１０１が、図１２に示すＵＩ画面において、設定されている仕上げの設定に従いシートを綴じるようにシート処理部１０９を制御する。例えば、図１２に示すＵＩ画面例では、針無しの綴じ処理１２０２が選択されているので、図７の（ａ）に示す綴じ位置７０１でシートに綴じ処理が行われる。その結果、図１８の（ａ）のような綴じられた状態となる。ＣＰＵ１０１が、Ｓ２３０９を終えると、処理をＳ２３１０に進める。
Ｓ２３１０では、ＣＰＵ１０１が、ページ構成変更で表紙に割りつけたページの印刷を行うように記録部１０７を制御する。このようにして、ＣＰＵ１０１が、表紙の印刷制御を終えると、処理をＳ２３１１に進める。
【００４７】
そして、Ｓ２３１１では、ＣＰＵ１０１が、表紙をはがせるように針無しの綴じ処理の設定を行い、シートを綴じるようにシート処理部１０９を制御する。また、この際、ＣＰＵ１０１が、表紙をはがしやすいように図７の（ｂ）のように第２の綴じ部を図７の（ａ）の通常位置より外側に移動して綴じ処理をするようシート処理部１０９を制御する。ここで、第１実施形態の綴じ処理との違いを明確にすると、ＣＰＵ１０１が、表紙以外のページを見えないようにするため、図２５の（ａ）に示すように四隅を綴じるようにシート処理部１０９を制御する。四隅を綴じることで他のユーザに覗き見されて印刷内容を見られることを防ぐことが可能となる。
また、ユーザは四隅を爪などでこすることで簡単に表紙をはがして捨てた後、ページをそれぞれはがすことができる。その結果、図２６の（ａ）のようになり、本文を見ることか可能となる。ＣＰＵ１０１が、Ｓ２３１１を終えると印刷終了となり図２３のフローチャートの処理を終了する。
【００４８】
次に、表紙をはがして捨てないで使用する場合のＳ２３１２からの説明を行う。
Ｓ２３１２では、ＣＰＵ１０１が、表紙の表が一番上に来るように印刷をフェイスアップ印刷に設定した印刷を行うよう記録部１０７を制御する。ＣＰＵ１０１が、印刷を開始するよう記録部１０７を制御すると処理をＳ２３１３に進める。
そして、Ｓ２３１３では、ＣＰＵ１０１が、印刷が終了したか否かを判断し、終わってないとＣＰＵ１０１が判断した場合は処理をＳ２３１２に戻し、次のページの印刷を行うよう記録部１０７を制御する。そして、Ｓ２３１３で、ＣＰＵ１０１が、印刷が終了したと判断したときは、処理をＳ２３１４に進める。
【００４９】
次に、Ｓ２３１４では、ＣＰＵ１０１が、図１２に示すＵＩ画面において、設定されている仕上げの設定に従いシートを綴じるようにシート処理部１０９を制御する。例えば、図１２に示すＵＩ画面の例では、針無し綴じ処理１２０２が選択されているので、図７の（ａ）に示す綴じ位置７０１でシートに綴じ処理が行われる。その結果、図１８の（ａ）のような綴じられた状態となる。ＣＰＵ１０１が、Ｓ２３１４を終えると、処理をＳ２３１５に進める。
【００５０】
そして、Ｓ２３１５では、ＣＰＵ１０１が、図１８の（ａ）での綴じ済みの位置を判断し、袋とじになるように四隅のうち綴じられていない残り３つの位置を決定する。ＣＰＵ１０１が、残り３つの位置を綴じるためＳ２３１６に進む。
Ｓ２３１６では、ＣＰＵ１０１が、Ｓ２３１５で決定した検知した３か所に針無しの綴じ処理でシートを綴じるようシート処理部１０９を制御する。
すなわち、図２５の（ｂ）に示すように、まず、Ｓ２３１４で、ＣＰＵ１０１はシート処理部１０９を制御して綴じ位置２５０５で針無しの綴じ処理を行う。次に、Ｓ２３１６で、針無しの綴じ処理を図２５の（ｂ）の綴じ位置２５０２、２５０３、２５０４の３か所に行う。ＣＰＵ１０１が、Ｓ２３１６を終えると、印刷終了となり、本処理を終了する。
【００５１】
上記のようにシートの端部の綴じ位置２５０２、２５０３、２５０４をユーザが爪などでこすり印刷物の一部をはがすことで図２６の（ｂ）のようになり本文を読むことが可能となる。このようにはがさないと本文を読むことができないため他人に出力物の内容を覗き見されることを防ぐことが可能となる。また、針無しの綴じ処理を行うため、はがした後に針が残らない効果が得られる。
【００５２】
また、上記実施形態では、Ｓ２３１４で仕上げ設定が針無しの綴じ処理である例で説明したが、図２７の２７０１、２７０２の２か所に針使用の綴じ処理を行う場合について説明を追加する。
この場合はＳ２３１５では、ＣＰＵ１０１が、綴じ済みでない部分を図２７の綴じ位置２７０３と２７０４と決定する。その決定結果に基づき、Ｓ２３１６では、ＣＰＵ１０１が、針無しの綴じ処理で図２７の綴じ位置２７０３と２７０４でシートを綴じるようシート処理部１０９を制御する。
【００５３】
ユーザは、図２７の綴じ位置２７０３と２７０４を爪などでこすりはがすことで、図２８に示すようにすることで表紙２８０１を開き、本文側２８０２を読みことが可能となる。
また、上記実施形態では、シートの４隅を綴じる例で説明したが、４隅だけなくシートの縁を全体に綴じることでさらに覗き見防止性を上げる効果を得られることは言うまでもない。
【００５４】
さらに、上記実施形態では、綴じ処理について、コピー時の動作において適用する例を説明したが、データ処理装置から受信する、Ｐａｇｅ  Ｄｅｓｃｒｉｐｔｉｏｎ  Ｌａｎｇｕａｇｅ（ＰＤＬ）などのプリント時も図２３のフローにより同様な効果が得られることはいうまでもない。ここで、データ処理装置とは、画像処理装置と有線または無線のインタフェースを介して通信可能な機器が含まれる。また、データ処理装置には、クラウドコンピューティング環境のサーバ装置も含まれる。
【００５５】
また、本実施形態では、本文が見えないようになるため、どのユーザかわからなくならないように表紙に使用ユーザ名を印刷したり、ジョブ名を印刷してユーザを特定したりできるようにするとユーザを特定するのが容易となる
以上、本実施形態によれば、覗き見防止モードにより本文に印刷したものが見えないように本文の上に表紙を綴じることにより、印刷後に他人に覗き見されることを防ぐことが可能となる。
【００５６】
本人が中を見る際に簡単にはがすことが可能となる。さらに、最終的に表紙をはがす際、表紙を簡単にはがすことが可能でさらに針などを捨てる手間もかからない効果がある。また、本文が見えないようにする表紙をはがして捨てられるモードと捨てないモードを用意してユーザの希望に沿ったモードが選択可能となる。
また、第２実施形態でも、第１実施形態のようにユーザにはがせ易さを選択可能とすることで、ユーザの希望に沿った覗き見防止モードを提供可能となる。
【００５７】
なお、本実施形態では、印刷ジョブは、読み取り部１０６が読み取る画像データから生成される例を示したが、図１に示すネットワーク１１２を介してデータ処理装置と通信インタフェース１１１を用いて通信する画像処理装置にも本発明を適用可能である。その場合は、ネットワーク１１２を介してデータ処理装置と通信して試しモードが設定された印刷ジョブを受信する。その際に、必要に応じてデータ処理装置のユーザに試し印刷モードで針無し綴じ処理を選択するかどうかのＵＩ画面を提供して、データ処理装置側のユーザによる指示を印刷ジョブの処理に反映させてもよい。
【００５８】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００５９】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００６０】
１０１  ＣＰＵ
１０５  操作部
【図１】
0005943637.tif 000002
【図２】
0005943637.tif 000003
【図３】
0005943637.tif 000004
【図４】
0005943637.tif 000005
【図５】
0005943637.tif 000006
【図６】
0005943637.tif 000007
【図７】
0005943637.tif 000008
【図８】
0005943637.tif 000009
【図９】
0005943637.tif 000010
【図１０】
0005943637.tif 000011
【図１１】
0005943637.tif 000012
【図１２】
0005943637.tif 000013
【図１３】
0005943637.tif 000014
【図１４】
0005943637.tif 000015
【図１５】
0005943637.tif 000016
【図１６】
0005943637.tif 000017
【図１７】
0005943637.tif 000018
【図１８】
0005943637.tif 000019
【図１９】
0005943637.tif 000020
【図２０】
0005943637.tif 000021
【図２１】
0005943637.tif 000022
【図２２】
0005943637.tif 000023
【図２３】
0005943637.tif 000024
【図２４】
0005943637.tif 000025
【図２５】
0005943637.tif 000026
【図２６】
0005943637.tif 000027
【図２７】
0005943637.tif 000028
【図２８】
0005943637.tif 000029